(57)【要約】【課題】長寿命化を実現可能なスイッチを提供すること。【解決手段】スイッチが、箱状のハウジングと、開口面に対して交差する第１方向に沿って移動可能なプランジャと、ハウジングの内部に配置され、第１方向に交差する第２方向に弾性変形可能な可動片とを備える。プランジャが、ハウジングの内部で可動片に対して第２方向で対向しかつ可動片に接触して可動片を第２方向に弾性変形させることができるように配置されている接触部を有し、プランジャの接触部と、可動片の被接触部との少なくともいずれかに、潤滑剤を保持可能な潤滑剤保持部が設けられている。【選択図】図４
2019140000.tif 000002
【特許請求の範囲】
【請求項１】
開口面を有する箱状のハウジングと、
前記開口面に対して交差する第１方向に沿って移動可能なプランジャと、
前記ハウジングの内部に配置され、前記第１方向に交差する第２方向に弾性変形可能な可動片と
を備え、
前記プランジャが、前記ハウジングの内部で前記可動片に対して前記第２方向で対向しかつ前記可動片に接触して前記可動片を前記第２方向に弾性変形させることができるように配置されている接触部を有し、前記第１方向に沿って、前記接触部が前記可動片に接触して前記可動片を前記第２方向に弾性変形させる第１位置と前記第１位置とは異なる第２位置との間を移動可能に配置されていると共に、
前記プランジャの前記接触部と、前記可動片における前記接触部が接触する被接触部との少なくともいずれかに、潤滑剤を保持可能な潤滑剤保持部が設けられている、スイッチ。
【請求項２】
前記ハウジングの内部に固定され、固定接点部を有する固定片をさらに備え、
前記可動片が、
前記ハウジングの内部に固定された固定部と、
前記固定接点部に対して前記第２方向で対向する可動接点部と、前記被接触部とが設けられていると共に、前記固定部に接続されかつ前記第２方向に弾性変形可能な可動部と
を有し、
前記固定片に対して電気的に独立して配置されていると共に、前記可動部の前記第２方向への弾性変形により前記可動接点部を前記固定接点部に対して接触または開離させる、請求項１のスイッチ。
【請求項３】
前記接触部が、
前記第１方向に沿って延びかつ前記第２方向でかつ前記可動片に接近する方向に突出する凸形状を有し、前記第１位置と前記第２位置との間で前記被接触部に接触する突起部と、
前記突起部の前記第１方向における中間部に、前記突起部から前記第２方向でかつ前記可動片に接近する方向に突出するように設けられ、前記プランジャが前記第１位置と前記第２位置との間で前記被接触部に押圧接触する凸部と
を有し、
前記潤滑剤保持部が、
前記突起部の前記第１方向における前記凸部の一方側の表面に配置された第１保持部と、前記突起部の前記第１方向における前記凸部の他方側の表面に配置された第２保持部との少なくともいずれかを有している、請求項１または２のスイッチ。
【請求項４】
前記潤滑剤保持部が、前記第１保持部および前記第２保持部を有し、前記第１保持部および前記第２保持部が、前記第１方向に間隔を空けて独立して配置されている、請求項３のスイッチ。
【請求項５】
前記潤滑剤保持部が、前記第１保持部および前記第２保持部と、前記凸部に設けられ前記第１保持部および前記第２保持部に接続された第３保持部とを有している、請求項３のスイッチ。
【請求項６】
前記第１保持部、前記第２保持部および前記第３保持部の各々が、前記第１方向に沿って延びる第１溝部、第２溝部および第３溝部で構成され、
前記第３溝部の溝幅が、前記第１溝部の溝幅および前記第２溝部の溝幅よりも小さくなるように構成されている、請求項５のスイッチ。
【請求項７】
前記潤滑剤保持部が、前記第１方向に沿って延びる溝部で構成されている、請求項１から５のいずれか１つのスイッチ。
【請求項８】
前記潤滑剤保持部が、前記第１方向に沿ってそれぞれ独立して配置された複数の凹部で構成されている、請求項１から５のいずれか１つのスイッチ。
【請求項９】
前記潤滑剤保持部が、前記プランジャの前記接触部に設けられている、請求項１から８のいずれか１つのスイッチ。
【請求項１０】
前記潤滑剤保持部が、前記可動片の前記被接触部に設けられている、請求項１から８のいずれか１つのスイッチ。
【発明の詳細な説明】
【技術分野】
【０００１】
本開示は、押しボタン式のスイッチに関する。
【背景技術】
【０００２】
特許文献１には、押しボタン式のスイッチが開示されている。このスイッチは、ベースと、ベースに対して上下方向に移動可能なキーと、ベースに取り付けられた固定接触片および可動接触片とを備える。固定接触片には、固定接点部が設けられ、可動接触片には、固定接点部に対向する可動接点部が設けられている。また、可動接触片は、キーをベースに対して上下動させたときにキーに接触して移動可能に配置され、可動接触片の移動により、可動接点が固定接点に対して接触また開離するように構成されている。
【先行技術文献】
【特許文献】
【０００３】
【特許文献１】ＣＮＵ−２０６６３９７２４
【発明の概要】
【発明が解決しようとする課題】
【０００４】
前記スイッチでは、キーおよび可動接触片の接触箇所に摩耗抑制のための潤滑剤を塗布して、摩耗を抑制する場合がある。しかし、前記スイッチのキーおよび可動接触片の接触箇所は、通常、フラットで潤滑剤を保持できないため、キーおよび可動接触片の接触箇所に潤滑剤を長期に亘って供給することができず、スイッチの寿命を延ばすことが難しい場合がある。
【０００５】
本開示は、長寿命化を実現可能なスイッチを提供することを目的とする。
【課題を解決するための手段】
【０００６】
本開示の一例のスイッチは、
開口面を有する箱状のハウジングと、
前記開口面に対して交差する第１方向に沿って移動可能なプランジャと、
前記ハウジングの内部に配置され、前記第１方向に交差する第２方向に弾性変形可能な可動片と
を備え、
前記プランジャが、前記ハウジングの内部で前記可動片に対して前記第２方向で対向しかつ前記可動片に接触して前記可動片を前記第２方向に弾性変形させることができるように配置されている接触部を有し、前記第１方向に沿って、前記接触部が前記可動片に接触して前記可動片を前記第２方向に弾性変形させる第１位置と前記第１位置とは異なる第２位置との間を移動可能に配置されていると共に、
前記プランジャの前記接触部と、前記可動片における前記接触部が接触する被接触部との少なくともいずれかに、潤滑剤を保持可能な潤滑剤保持部が設けられている。
【発明の効果】
【０００７】
前記スイッチによれば、プランジャの接触部と可動片の被接触部との少なくともいずれかに、潤滑剤を保持可能な潤滑剤保持部が設けられている。この潤滑剤保持部により、プランジャの接触部および可動片の被接触部に潤滑剤を長期に亘って供給することができるので、スイッチの寿命を延ばすことができる。
【図面の簡単な説明】
【０００８】
【図１】本開示の一実施形態のスイッチを示す斜視図。
【図２】図１のスイッチのボタンを取り除いた状態を示す斜視図。
【図３】図１のスイッチのボタンを取り除いた状態を示す平面図。
【図４】図１のスイッチのプランジャを示す斜視図。
【図５】復帰状態の図１のスイッチの図１のV-V線に沿った断面図。
【図６】動作状態の図１のスイッチの図１のV-V線に沿った断面図。
【図７】図１のスイッチの第１の変形例を示すプランジャの斜視図。
【図８】図１のスイッチの第２の変形例を示すプランジャの斜視図。
【図９】図１のスイッチの第３の変形例を示すプランジャの斜視図。
【図１０】図１のスイッチの第４の変形例を示すプランジャの斜視図。
【図１１】図１のスイッチの第５の変形例を示すプランジャの斜視図。
【図１２】図１のスイッチの第６の変形例を示すプランジャの斜視図。
【図１３】図１のスイッチの第７の変形例を示すプランジャの斜視図。
【図１４】図１のスイッチの第８の変形例を示す可動片の斜視図。
【図１５】図１のスイッチの第９の変形例を示す固定片、可動片およびプランジャの復帰状態の斜視図。
【図１６】図１のスイッチの第９の変形例を示す固定片、可動片およびプランジャの復帰状態の平面図。
【図１７】図１のスイッチの第９の変形例を示す固定片、可動片およびプランジャの動作状態の斜視図。
【図１８】図１のスイッチの第９の変形例を示す固定片、可動片およびプランジャの動作状態の平面図。
【発明を実施するための形態】
【０００９】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
本開示の一実施形態のスイッチ１は、図１に示すように、ハウジング１０と、ハウジング１０に取り付けられたボタン２０とを備えている。また、ハウジング１０の内部には、図２に示すように、固定片３０、可動片４０およびプランジャ５０が設けられている。一例として、ハウジング１０、ボタン２０およびプランジャ５０は、絶縁性の樹脂でそれぞれ構成され、固定片３０および可動片４０は、導電性の金属でそれぞれ構成されている。
【００１１】
ハウジング１０は、図２に示すように、略矩形の箱状を有し、開口部１２が設けられた開口面１１を有している。ハウジング１０の外周には、昇降機構部１３が設けられている。この昇降機構部１３は、開口面１１に直交する方向から見て、ハウジング１０の短手方向の中心を通りハウジング１０の長手方向に延びる回動軸１４を中心に回動可能にハウジング１０に取り付けられている２つのアーム部１５、１６を有している。
【００１２】
各アーム部１５、１６は、開口面１１に直交する方向から見て、ハウジング１０の長手方向に延びる軸部１５１、１６１と、軸部１５１、１６１のその延在方向の両端部から軸部１５１、１６１の延在方向に直交する方向に延びる支持部１５２、１６２と、軸部１５１、１６１のその延在方向の両端部から軸部１５１、１６１の延在方向に沿って延びる係止突部１５３、１６３とで構成されている。各支持部１５２、１６２の先端部（すなわち、軸部１５１、１６１から遠い方の端部）は、ハウジング１０に回動可能に取り付けられている。
【００１３】
ボタン２０は、図１に示すように、略直方体状を有し、各角部に設けられた昇降機構部１３の係止突部１５３、１６３を係止する係止受部２１（図１では、２つのみ示す）を介して、昇降機構部１３に接続されている。すなわち、ボタン２０は、昇降機構部１３を介して、開口面１１に対して交差する第１方向Ａ（すなわち、図１の上下方向）に沿って移動可能にハウジング１０に取り付けられている。
【００１４】
また、図２に示すように、ボタン２０は、ハウジング１０の内部でかつハウジング１０の第１方向Ａにおいて開口面１１に対向する底部１７の略中央部に設けられたコイルばね２２によって、第１方向Ａでかつハウジング１０の底部１７から開口面１１に向かう方向に付勢されている。
【００１５】
固定片３０は、図３に示すように、ハウジング１０の内部でハウジング１０の底部１７に固定されている。詳しくは、固定片３０は、第１方向Ａ（すなわち、図３の紙面貫通方向）から見て、ハウジング１０の短手方向に延びる一対の壁部１０１、１０２の一方の第１壁部１０１とコイルばね２２との間に配置されている。この固定片３０は、第１方向Ａから見て、ハウジング１０の短手方向（すなわち、第１方向Ａに交差する第２方向Ｂ）における昇降機構部１３の回動軸１４の一方側（すなわち、図３の左側）に配置された接点配置部３１を有している。
【００１６】
接点配置部３１は、ハウジング１０の長手方向に延びる一対の壁部１０３、１０４のうちの近い方の第３壁部１０３に沿って延びる板状を有し、一対の壁部１０３、１０４のうちの遠い方の第４壁部１０４に対向する板面に固定接点部３２が設けられている。
【００１７】
可動片４０は、図３に示すように、固定片３０に対して電気的に独立して配置されている。詳しくは、可動片４０は、第１方向Ａから見て、ハウジング１０の短手方向に延びる一対の壁部１０１、１０２の他方の第２壁部１０２とコイルばね２２との間に配置されている。この可動片４０は、ハウジング１０の内部に固定された固定部４１と、固定部４１に接続されかつ第２方向Ｂに弾性変形可能な可動部４２とを有している。
【００１８】
図３に示すように、固定部４１は、第２方向Ｂおいて昇降機構部１３の回動軸１４に対するハウジング１０の第４壁部１０４側に配置されている。また、可動部４２は、第１方向Ａから見て固定部４１からハウジング１０の第３壁部１０３に沿って延びる板状で、その先端部が、固定片３０の接点配置部３１とコイルばね２２との間に配置され、各板面が第２方向Ｂを向いてハウジング１０の第３壁部１０３および第４壁部１０４に対向するように配置されている。可動部４２の先端部には、固定接点部３２に対して第２方向Ｂで対向するように配置された可動接点部４３が設けられている。
【００１９】
また、可動部４２の第１方向Ａから見た場合におけるハウジング１０の長手方向の中間部には、後述するプランジャ５０の接触部５２が接触する被接触部４６が設けられている。この被接触部４６は、図７に示すように、可動部４２から第２方向Ｂでかつハウジング１０の第３壁部１０３に向かって延びて、その先端部が第２方向Ｂでかつハウジング１０の第４壁部１０４に向かって曲げられて湾曲している。
【００２０】
なお、可動部４２は、外力が加えられていない初期位置では、可動接点部４３が固定接点部３２に対して接触するように配置されている。被接触部４６に後述するプランジャ５０の接触部５２が接触することで、可動部４２が第２方向Ｂでかつ第４壁部１０４に向かって（すなわち、可動接点部４３が固定接点部３２から離れる方向に）弾性変形する。
【００２１】
プランジャ５０は、図３に示すように、第１方向Ａから見て、ハウジング１０の第３壁部１０３と固定片３０の接点配置部３１との間にボタン２０に接続されつつ配置され、ボタン２０の第１方向Ａに沿った移動により、第１方向Ａに沿って移動可能に構成されている。
【００２２】
詳しくは、プランジャ５０は、図４に示すように、第１方向Ａから見て、ハウジング１０の長手方向に沿って延びる板状の本体部５１と、本体部５１のその延在方向の中間部に設けられ本体部５１から可動片４０の可動部４２に向かって突出しかつ第１方向Ａに延びる接触部５２とを有している。
【００２３】
本体部５１のその延在方向の中間部には、本体部５１からハウジング１０の第３壁部１０３に向かって突出しかつ本体部５１から第１方向Ａに延びるガイドレール部５３が設けられている。このガイドレール部５３は、図３に示すように、第１方向Ａから見て、ハウジング１０の第３壁部１０３のハウジング１０の長手方向における略中央部に設けられ第１方向Ａに延びるガイド溝部１０５に配置され、プランジャ５０の第１方向Ａの移動を円滑にしている。
【００２４】
また、本体部５１のその延在方向の両端部には、第１方向Ａに延びるレール状の接続部５４がそれぞれ設けられている。この接続部５４を介してプランジャ５０とボタン２０とが接続されている。
【００２５】
接触部５２は、図４に示すように、ハウジング１０の内部で可動片４０の可動部４２に対して第２方向Ｂで対向しかつ可動部４２に接触して可動部４２を第２方向Ｂに弾性変形させることができるように配置されている。
【００２６】
詳しくは、接触部５２は、第１方向Ａに沿って延びかつ第２方向Ｂでかつ可動片４０の可動部４２に向かって突出する突起部５２１と、この突起部５２１の第１方向Ａの中間部に設けられた凸部５２２とを有している。
【００２７】
突起部５２１は、図４に示すように、第１傾斜面５２３、第２傾斜面５２４および第３傾斜面５２５を有し、プランジャ５０が開口面１１よりもハウジング１０の底部１７から離れた第１位置（図５参照）と、第１位置よりもハウジング１０の開口面１１に対向する底部１７に近い第２位置との間で、可動片４０の被接触部４６に接触するように構成されている。
【００２８】
第１傾斜面５２３は、第１方向Ａにおける凸部５２２の一方側（すなわち、凸部５２２よりもボタン２０に近い側で図４の上側）に設けられ、第１方向Ａに沿ってボタンから離れるに従って（すなわち、図４の上側から下側に向かうに従って）第２方向Ｂでかつ可動片４０の可動部４２に接近する方向に傾斜している。
【００２９】
第２傾斜面５２４は、第１方向Ａにおける凸部５２２の他方側（すなわち、凸部５２２よりもハウジング１０の底部１７に近い側で図４の下側）に設けられている。この第２傾斜面５２４は、第１傾斜面５２３と同様に、第１方向Ａに沿ってボタンから離れるに従って第２方向Ｂでかつ可動片４０の可動部４２に接近する方向に傾斜している。なお、第２傾斜面５２４は、第１傾斜面５２３よりも本体部５１の第２方向Ｂの側面５１１に対する傾斜角度が小さくなるように形成されている。
【００３０】
第３傾斜面５２５は、第２傾斜面５２４の第１方向Ａにおけるボタン２０から遠い方の端部（すなわち、図４の下側の端部）に接続され、第１方向Ａに沿ってボタン２０から離れるに従って第２方向Ｂでかつ可動片４０の可動部４２から離れる方向に傾斜している。
【００３１】
凸部５２２は、図４に示すように、第１傾斜面５２３および第２傾斜面５２４の間に配置され、第２方向Ｂでかつ可動片４０の可動部４２に接近する湾曲凸形状を有している。この凸部５２２は、第１位置（図５参照）と第２位置（図６参照）との間で、可動片４０の被接触部４６に押圧接触するように構成されている。
【００３２】
また、図４に示すように、接触部５２には、第１方向Ａにおける凸部５２２の一方側（すなわち、凸部５２２の第１傾斜面５２３側）の表面に配置された第１溝部５２６と、第１方向Ａにおける凸部５２２の他方側（すなわち、凸部５２２の第２傾斜面５２４側）の表面に配置された第２溝部５２７とが設けられている。第１溝部５２６は、第１方向Ａに沿って凸部５２２から第１傾斜面５２３上をボタン２０に向かって（すなわち、図４の上向きに）延びている。また、第２溝部５２７は、第１方向Ａに沿って凸部５２２から第２傾斜面５２４上および第３傾斜面５２５上をハウジング１０の底部１７に向かって（すなわち、図４の下向きに）延びている。第１溝部５２６および第２溝部５２７の各々は、略Ｕ字の断面形状を有し、第１方向Ａに間隔を空けて独立して配置されている。
【００３３】
なお、第１溝部５２６および第２溝部５２７は、それぞれ第１保持部および第２保持部の一例であり、潤滑剤を保持可能な潤滑剤保持部を構成している。潤滑剤としては、例えば、オイルなどの液体潤滑剤、オレフィン系グリスなどの半固体状潤滑剤およびグラファイトなどの固体潤滑剤を用いることができる。
【００３４】
続いて、前記スイッチの動作について、図５および図６を参照して説明する。
【００３５】
ボタン２０に外力が加えられていない状態のスイッチ１は、図５に示すように、ボタン２０が、コイルばね２２により、第１方向Ａでかつハウジング１０の底部１７から開口面１１に向かう方向（すなわち、図５の上向き）に付勢されて、第１方向Ａにおいてハウジング１０の開口面１１よりもハウジング１０の底部１７から離れて配置されている。
【００３６】
図５に示す状態では、プランジャ５０は、接触部５２の凸部５２２がハウジング１０の外部（すなわち、第１位置）に位置している。この第１位置では、接触部５２の第２傾斜面５２４が可動片４０の被接触部４６に接触して、可動部４２を第２方向Ｂでかつ可動接点部４３が固定接点部３２から離れる方向（すなわち、図５の右向き）に弾性変形させている。すなわち、プランジャ５０は、第１位置において、接触部５２が可動片４０の可動部４２に接触して可動部４２を第２方向Ｂに弾性変形させている。これにより、可動接点部４３が固定接点部３２から開離して、スイッチ１を復帰状態にしている。
【００３７】
ボタン２０に外力を加えて、ボタン２０をコイルばね２２の付勢力に抗して第１方向Ａに沿ってハウジング１０の底部１７に向かって移動させていくと、図６に示すように、ボタン２０は、ハウジング１０の開口面１１に接触して停止する。
【００３８】
このとき、ボタン２０の第１方向Ａ沿いの移動に伴って、プランジャ５０も第１方向Ａに沿ってハウジング１０の底部１７に向かって移動して、接触部５２の凸部５２２がハウジング１０の内部（すなわち、第１位置とは異なる第２位置）に位置した状態で停止する。この第２位置では、接触部５２と可動片４０の被接触部４６とは接触しておらず、弾性変形していた可動部４２が初期位置に復帰している。これにより、可動接点部４３が固定接点部３２に接触して、スイッチ１を動作状態にしている。
【００３９】
また、ボタン２０に加えられていた外力を解放すると、コイルばね２２の付勢力により、ボタン２０がボタン２０を第１方向Ａに沿ってハウジング１０の底部１７から離れる方向に移動する。このボタン２０の移動に伴って、プランジャ５０も第２位置から第１位置まで移動する。
【００４０】
このように、スイッチ１が復帰状態から動作状態に移行するとき、接触部５２は、第２傾斜面５２４、凸部５２２および第１傾斜面５２３の順に可動片４０の被接触部４６に接触しながら移動する（すなわち、摺動する）。また、スイッチ１が動作状態から復帰状態に移行するとき、接触部５２は、第１傾斜面５２３、凸部５２２および第２傾斜面５２４の順に可動片４０の被接触部４６に接触しながら移動する。このとき、第１溝部５２６および第２溝部５２７に保持されている潤滑剤が、プランジャ５０の接触部５２および可動片４０の被接触部４６に供給されて、プランジャ５０の接触部５２および可動片４０の被接触部４６の摩耗が抑制される。すなわち、前記スイッチ１では、第１溝部５２６および第２溝部５２７により、プランジャ５０の接触部５２および可動片４０の被接触部４６に潤滑剤を長期に亘って供給することができるので、スイッチ１の寿命を延ばすことができる。
【００４１】
なお、接触部５２の凸部５２２が可動片４０の被接触部４６に押圧接触して、被接触部４６が凸部５２２を乗り越えるまでのプランジャ５０の移動荷重の変化と、被接触部４６が凸部５２２を乗り越えたときにプランジャ５０が第１方向Ａのハウジング１０の底部１７に接近する方向に単独で移動して接続部５４がボタン２０に衝突することにより発生する衝突音とにより、操作感（すなわち、クリック感）が形成される。この操作感により、例えば、固定接点部３２および可動接点部４３の接触状態が切り替わったこと（すなわち、可動接点部４３が固定接点部３２に対して開離した状態から接触した状態に、あるいは、可動接点部４３が固定接点部３２に対して接触した状態から開離した状態に切り替わったこと）が報知される。
【００４２】
すなわち、接触部５２の凸部５２２は、可動片４０の被接触部４６に押圧接触するため、摩耗により消耗し易くなっている。このため、凸部５２２に潤滑剤保持部を設けないで、第１溝部５２６および第２溝部５２７を第１方向Ａに間隔を空けて独立して配置することで、操作感を維持しつつより確実に長寿命化を図れるスイッチ１を実現できる。
【００４３】
なお、プランジャ５０の接触部５２および可動片４０の被接触部４６は、スイッチ１の設計等に応じて、形状および大きさ等を適宜変更できる。
【００４４】
例えば、プランジャ５０は、ボタン２０に接続されていてもよいし、ボタン２０に接続されていなくてもよい。また、プランジャ５０は、ボタン２０と別体に設ける場合に限らず、ボタン２０と一体に設けてもよい。
【００４５】
接触部５２は、可動片４０の可動部４２に接触して可動部４２を第２方向Ｂに弾性変形させることができればよく、接触部５２の第１傾斜面５２３および第２傾斜面５２４は、曲面であってもよいし、本体部５１の側面に対してフラットな面であってもよい。また、第３傾斜面５２５を省略することもできる。
【００４６】
潤滑剤保持部は、可動片４０の被接触部４６が接触する領域の少なくとも一部に設けられていればよい。例えば、第１溝部５２６および第２溝部５２７のいずれか一方のみを潤滑剤保持部として設けてもよいし、第２溝部５２７を第２傾斜面５２４のみに設けてもよい。
【００４７】
また、潤滑剤保持部は、例えば、図７〜１２に示すように、第１溝部５２６および第２溝部５２７に加えて、凸部５２２に設けられ第１溝部５２６および第２溝部５２７に接続された第３溝部５２８を有していてもよい。このように、潤滑剤保持部が第１〜第３溝部５２６、５２７、５２８を有することで、プランジャ５０の接触部５２および可動片４０の被接触部４６に潤滑剤をさらに長期に亘って供給することができるので、より確実にスイッチ１の寿命を延ばすことができる。
【００４８】
各溝部５２６、５２７、５２８は、任意の断面形状を採用できる。例えば、各溝部５２６、５２７、５２８の断面は、図７に示すように、略Ｕ字形状であってもよいし、図８に示すように、略Ｖ字形状であってもよいし、図９に示すように、略台形状であってもよいし、図１０に示すように、略四角形状であってもよい。例えば、各溝部５２６、５２７、５２８の断面を略Ｕ字形状にすることで、各溝部５２６、５２７、５２８に保持されている潤滑剤をプランジャ５０の接触部５２および可動片４０の被接触部４６に供給し易くなり、より確実にスイッチ１の寿命を延ばすことができる。なお、各溝部５２６、５２７、５２８の開口縁部を面取りすることでも、各溝部５２６、５２７、５２８に保持されている潤滑剤をプランジャ５０の接触部５２および可動片４０の被接触部４６に供給し易くなる。
【００４９】
また、各溝部５２６、５２７、５２８は、第１方向Ａに沿って延びていればよい。例えば、各溝部５２６、５２７、５２８は、図７〜図１０に示すように、第１方向Ａに対して略平行に延びる直線状に配置されていてもよいし、図１１に示すように、第１方向Ａに対して交互に異なる方向に交差する蛇行状に配置されていてもよい。なお、各溝部５２６、５２７、５２８を蛇行状に配置することで、潤滑剤をプランジャ５０の接触部５２および可動片４０の被接触部４６の広範囲に亘って供給することができる。
【００５０】
なお、各溝部５２６、５２７、５２８の溝幅および溝深さは、スイッチ１の設計等に応じて適宜変更可能である。例えば、図１２に示すように、第３溝部５２８の溝幅が、第１溝部５２６の溝幅および第２溝部５２７の溝幅よりも小さくなるように構成してもよい。このように、第３溝部５２８の溝幅を第１溝部５２６の溝幅および第２溝部５２７の溝幅よりも小さくすることで、図７〜図１１のプランジャ５０と比較して、摩耗により消耗し易い凸部５２２の被接触部４６に対する接触面積を大きくすることができるので、操作感を維持しつつ長寿命化を図れるスイッチ１を実現できる。また、例えば、各溝部５２６、５２７、５２８の溝深さを延在方向の両端部に接近するに従って浅くなるようにすることで、各溝部５２６、５２７、５２８に保持されている潤滑剤をプランジャ５０の接触部５２および可動片４０の被接触部４６に供給し易くなり、より確実にスイッチ１の寿命を延ばすことができる。
【００５１】
また、潤滑剤保持部は、各溝部５２６、５２７、５２８で構成されている場合に限らず、例えば、図１３に示すように、第１方向Ａに沿ってそれぞれ独立して配置された複数の凹部５５（図１３では、３つの凹部５５）で構成されていてもよい。各凹部５５は、図１３に示す略円形状の開口部を有する場合に限らず、他の形状（例えば、四角形状、台形状および三角形状）の開口部を有していてもよい。
【００５２】
さらに、潤滑剤保持部は、プランジャ５０の接触部５２に設ける場合に限らず、可動片４０の被接触部４６に設けてもよい。この場合、例えば、プランジャ５０の接触部５２に第１溝部５２６および第２溝部５２７を設けないで、図１４に示すように、可動片４０の被接触部４６に、第１方向Ａに延びる潤滑剤保持部の一例の第４溝部４６１を設けてもよい。また、可能ならば、プランジャ５０の接触部５２の構成と可動片４０の被接触部４６の構成とをそのまま入れ替えてもよい。すなわち、プランジャ５０に被接触部４６と同じ構成の接触部を設け、可動片４０に接触部５２と同じ構成の被接触部を設けてもよい。
【００５３】
なお、潤滑剤保持部は、プランジャ５０の接触部５２および可動片４０の被接触部４６の少なくともいずれかに設けられていればよく、例えば、プランジャ５０の接触部５２に第１溝部５２６および第２溝部５２７を設け、可動片４０の被接触部４６に第４溝部４６１を設けてもよい。
【００５４】
本開示は、前記スイッチ１に限らず、例えば、図１５〜図１８に示す固定片３０、可動片４０およびプランジャ５０を備えたスイッチ１００にも適用できる。このスイッチ１００では、プランジャ５０が、第１方向Ａに沿って図１５および図１７の上側から下側に向かうに従って第２方向Ｂでかつ可動片４０の可動部４２に接近する方向に傾斜する第４傾斜面１５２を有し、可動片４０が、第４傾斜面１５２に接触可能な突出部１４６を有している。第４傾斜面１５２には、第１方向Ａに沿って延びる潤滑剤保持部の一例の第５溝部５６が設けられている。
【００５５】
図１５および図１６に示すように、突出部１４６が第４傾斜面１５２の下端部に接触している状態では、可動接点部４３が固定接点部３２から開離して、スイッチ１を復帰状態にしている。また、図１７および図１８に示すように、突出部１４６が第４傾斜面１５２の上端部に接触している状態では、可動接点部４３が固定接点部３２に接触して、スイッチ１を動作状態にしている。すなわち、前記スイッチ１００は、プランジャ５０が第１方向Ａに沿って移動して、可動片４０の突出部１４６のプランジャ５０の第４傾斜面１５２に対する接触位置が、第５溝部５６上を上端から下端に移動するに従って、第４傾斜面１５２突出部１４６を介して可動部４２を第２方向でかつ可動接点部４３が固定接点部３２から離れる方向に弾性変形させるように構成されている。
【００５６】
また、本開示は、復帰状態のときにプランジャ５０の接触部５２が可動片４０の第２可動部４２を弾性変形させて、動作状態のときに可動片４０の可動部４２が初期位置に復帰するように構成された前記スイッチ１に限らず、動作状態のときにプランジャの接触部が可動片の第２可動部を弾性変形させて、復帰状態のときに可動片の可動部が初期位置に復帰するように構成されたスイッチにも適用可能である。
【００５７】
さらに、本開示は、固定片３０に固定接点部３２が直接設けられ、可動片４０に可動接点部４３が直接設けられている前記スイッチ１に限らず、固定片に固定接点部が直接設けられておらず、可動片に可動接点部が直接設けられていないスイッチにも適用可能である。
【００５８】
このように、本開示は、前記スイッチ１に限らず、開口面を有する箱状のハウジングと、開口面に対して交差する第１方向に沿って移動可能なプランジャと、ハウジングの内部に配置され、第１方向に交差する第２方向に弾性変形可能な可動片とを備え、プランジャが、ハウジングの内部で可動片に対して第２方向で対向しかつ可動片に接触して可動片を第２方向に弾性変形させることができるように配置されている接触部を有し、第１方向に沿って、接触部が可動片に接触して可動片を第２方向に弾性変形させる第１位置と前記第１位置とは異なる第２位置との間を移動可能に配置されていると共に、プランジャの接触部と、可動片における接触部が接触する被接触部との少なくともいずれかに、潤滑剤を保持可能な潤滑剤保持部が設けられていればよい。すなわち、本開示は、様々な態様のスイッチに適用できるので、設計の自由度が高く長寿命化を図れるスイッチを実現できる。
【００５９】
以上、図面を参照して本開示における種々の実施形態を詳細に説明したが、最後に、本開示の種々の態様について説明する。なお、以下の説明では、一例として、参照符号も添えて記載する。
【００６０】
本開示の第１態様のスイッチ１は、
開口面１１を有する箱状のハウジング１０と、
前記開口面１１に対して交差する第１方向Ａに沿って移動可能なプランジャ５０と、
前記ハウジング１０の内部に配置され、前記第１方向Ａに交差する第２方向Ｂに弾性変形可能な可動片４０と
を備え、
前記プランジャ５０が、前記ハウジング１０の内部で前記可動片４０に対して前記第２方向Ｂで対向しかつ前記可動片４０に接触して前記可動片４０を前記第２方向Ｂに弾性変形させることができるように配置されている接触部５２を有し、前記第１方向Ａに沿って、前記接触部５２が前記可動片４０に接触して前記可動片４０を前記第２方向Ｂに弾性変形させる第１位置と前記第１位置とは異なる第２位置との間を移動可能に配置されていると共に、
前記プランジャ５０の前記接触部５２と、前記可動片４０における前記接触部５２が接触する被接触部４６との少なくともいずれかに、潤滑剤を保持可能な潤滑剤保持部５２６、５２７、５２８、４６１、５５、５６が設けられている。
【００６１】
第１態様のスイッチ１によれば、プランジャ５０の接触部５２と、可動片４０における接触部５２が接触する被接触部４６との少なくともいずれかに、潤滑剤を保持可能な潤滑剤保持部５２６、５２７、５２８、４６１、５５、５６が設けられている。この潤滑剤保持部５２６、５２７、５２８、４６１、５５、５６により、プランジャ５０の接触部５２および可動片４０の被接触部４６に潤滑剤を長期に亘って供給することができるので、スイッチ１の寿命を延ばすことができる。
【００６２】
本開示の第２態様のスイッチ１は、
前記ハウジング１０の内部に固定され、固定接点部３２を有する固定片３０をさらに備え、
前記可動片４０が、
前記ハウジング１０の内部に固定された固定部４１と、
前記固定接点部３２に対して前記第２方向Ｂで対向する可動接点部４３と、前記被接触部４６とが設けられていると共に、前記固定部４１に接続されかつ前記第２方向Ｂに弾性変形可能な可動部４２と
を有し、
前記固定片３０に対して電気的に独立して配置されていると共に、前記可動部４２の前記第２方向Ｂへの弾性変形により前記可動接点部４３を前記固定接点部３２に対して接触または開離させる。
【００６３】
第２態様のスイッチ１によれば、プランジャ５０の接触部５２と、可動片４０の可動部４２における接触部５２が接触する被接触部４６との少なくともいずれかに、潤滑剤を保持可能な潤滑剤保持部５２６、５２７、５２８、４６１、５５、５６が設けられている。この潤滑剤保持部５２６、５２７、５２８、４６１、５５、５６により、プランジャ５０の接触部５２および可動片４０の被接触部４６に潤滑剤を長期に亘って供給することができるので、スイッチ１の寿命を延ばすことができる。
【００６４】
本開示の第３態様のスイッチ１は、
前記接触部５２が、
前記第１方向Ａに沿って延びかつ前記第２方向Ｂでかつ前記可動部４２に接近する方向に突出する凸形状を有し、前記第１位置と前記第２位置との間で前記被接触部４６に接触する突起部５２１と、
前記突起部５２１の前記第１方向Ａにおける中間部に、前記突起部５２１から前記第２方向Ｂでかつ前記可動部４２に接近する方向に突出するように設けられ、前記プランジャ５０が前記第１位置と前記第２位置との間で前記被接触部４６に押圧接触する凸部５２２と
を有し、
前記潤滑剤保持部が、
前記突起部５２１の前記第１方向Ａにおける前記凸部５２２の一方側の表面に配置された第１保持部５２６と、前記突起部５２１の前記第１方向Ａにおける前記凸部５２２の他方側の表面に配置された第２保持部５２７との少なくともいずれかを有している。
【００６５】
第３態様のスイッチによれば、潤滑剤保持部５２６、５２７により、プランジャ５０の接触部５２および可動片４０の被接触部４６に潤滑剤を長期に亘って供給することができるので、スイッチ１の寿命を延ばすことができる。
【００６６】
本開示の第４態様のスイッチ１は、
前記潤滑剤保持部が、前記第１保持部５２６および前記第２保持部５２７を有し、前記第１保持部５２６および前記第２保持部５２７が、前記第１方向Ａに間隔を空けて独立して配置されている。
【００６７】
第４態様のスイッチ１によれば、被接触部４６に押圧接触して操作感を形成する凸部５２２に潤滑剤保持部を設けないで、第１溝部５２６および第２溝部５２７が第１方向Ａに間隔を空けて独立して配置されているので、操作感を維持しつつより確実に長寿命化を図れるスイッチ１を実現できる。
【００６８】
本開示の第５態様のスイッチ１は、
前記潤滑剤保持部が、前記第１保持部５２６および前記第２保持部５２７と、前記凸部５２２に設けられ前記第１保持部５２６および前記第２保持部５２７に接続された第３保持部５２８とを有している。
【００６９】
第５態様のスイッチ１によれば、プランジャ５０の接触部５２および可動片４０の被接触部４６に潤滑剤をさらに長期に亘って供給することができるので、より確実にスイッチ１の寿命を延ばすことができる。
【００７０】
本開示の第６態様のスイッチ１は、
前記第１保持部、前記第２保持部および前記第３保持部の各々が、前記第１方向Ａに沿って延びる第１溝部５２６、第２溝部５２７および第３溝部５２８で構成され、
前記第３溝部５２８の溝幅が、前記第１溝部５２６の溝幅および前記第２溝部５２７の溝幅よりも小さくなるように構成されている。
【００７１】
第６態様のスイッチ１によれば、被接触部４６に押圧接触して操作感を形成する凸部５２２の被接触部４６に対する接触面積を大きくすることができるので、操作感を維持しつつより確実に長寿命化を図れるスイッチ１を実現できる。
【００７２】
本開示の第７態様のスイッチ１は、
前記潤滑剤保持部が、前記第１方向Ａに沿って延びる溝部５２６、５２７、５２８、４６１、５６で構成されている。
【００７３】
第７態様のスイッチ１によれば、設計の自由度が高く長寿命化を図れるスイッチ１を実現できる。
【００７４】
本開示の第８態様のスイッチ１は、
前記潤滑剤保持部が、前記第１方向Ａに沿ってそれぞれ独立して配置された複数の凹部５５で構成されている。
【００７５】
第８態様のスイッチによれば、設計の自由度が高く長寿命化を図れるスイッチを実現できる。
【００７６】
本開示の第９態様のスイッチ１は、
前記潤滑剤保持部５２６、５２７、５２８、５５、５６が、前記プランジャ５０の前記接触部５２に設けられている。
【００７７】
第９態様のスイッチ１によれば、設計の自由度が高く長寿命化を図れるスイッチ１を実現できる。
【００７８】
本開示の第１０態様のスイッチ１は、
前記潤滑剤保持部４６１が、前記可動部４２の前記被接触部４６に設けられている。
【００７９】
第１０態様のスイッチ１によれば、設計の自由度が高く長寿命化を図れるスイッチ１を実現できる。
【００８０】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００８１】
本開示のスイッチは、例えば、キーボードスイッチに適用できる。
【符号の説明】
【００８２】
１  スイッチ
１０  ハウジング
１０１  第１壁部
１０２  第２壁部
１０３  第３壁部
１０４  第４壁部
１０５  ガイド溝部
１１  開口面
１２  開口部
１３  昇降機構部
１４  回動軸
１５、１６  アーム部
１７  底部
１５１、１６１  軸部
１５２、１６２  支持部
１５３、１６３  係止突部
２０  ボタン
２１  係止受部
２２  コイルばね
３０  固定片
３１  接点配置部
３２  固定接点部
４０  可動片
４１  固定部
４２  可動部
４３  可動接点部
４６  被接触部
４６１  第４溝部
５０  プランジャ
５１  本体部
５２１  突起部
５２２  凸部
５２３  第１傾斜面
５２４  第２傾斜面
５２５  第３傾斜面
５２６  第１溝部
５２７  第２溝部
５２８  第３溝部
５２  接触部
５３  ガイドレール部
５４  接続部
５５  凹部
５６  第５溝部
１４６  突出部
１５２  第４傾斜面
Ａ  第１方向
Ｂ  第２方向
【図１】
2019140000.tif 000003
【図２】
2019140000.tif 000004
【図３】
2019140000.tif 000005
【図４】
2019140000.tif 000006
【図５】
2019140000.tif 000007
【図６】
2019140000.tif 000008
【図７】
2019140000.tif 000009
【図８】
2019140000.tif 000010
【図９】
2019140000.tif 000011
【図１０】
2019140000.tif 000012
【図１１】
2019140000.tif 000013
【図１２】
2019140000.tif 000014
【図１３】
2019140000.tif 000015
【図１４】
2019140000.tif 000016
【図１５】
2019140000.tif 000017
【図１６】
2019140000.tif 000018
【図１７】
2019140000.tif 000019
【図１８】
2019140000.tif 000020